(57)【要約】【課題】  本人確認の申し込みの手間を低減することができ、かつ成りすましによるリスクを低減することができる本人確認装置を提供する。【解決手段】  本発明は、携帯電話から送信された住所などの識別情報、及び動画像形式の添付ファイルを受信し、添付ファイルに含まれる証明書の画像から識別情報及び顔の画像と、本人確認される者によって入力された識別情報及び撮像された顔の画像との照合処理を行ない、さらに、添付ファイルに含まれる本人確認される者によって入力された音声情報と、取得された音声情報との照合処理を行なう。そして、照合処理の結果、一定の条件を満たす場合に、本人確認を認める。これにより、ユーザの成りすましによるリスクを低減することができる本人確認装置を提供することができる。【選択図】      図４
2005293544.tif 000002
【特許請求の範囲】
【請求項１】
本人確認される者によって入力された本人確認に必要な識別情報と、前記入力された識別情報に添付され、本人確認に必要な本人確認される者の顔及び識別情報を含む証明書、前記本人確認される者の顔を連続的に撮像した画像、及び前記本人確認される者の音声情報を含む動画ファイル形式の添付ファイルとを受信する手段と、
前記添付ファイルに含まれる前記顔の画像、前記証明書の画像に含まれる識別情報及び前記音声情報を認識する手段と、
前記入力された本人確認に必要な識別情報と、前記認識された証明書の画像に含まれる識別情報との照合処理を行なう第１の照合手段と、
前記認識された証明書の画像に含まれる顔の画像と、前記認識された撮像された本人確認される者の顔の画像との照合処理を行なう第２の照合手段と、
前記本人確認される者の音声情報を取得する手段と、
前記取得された本人確認される者の音声情報と、前記認識された音声情報との照合処理を行なう第３の照合手段と、
前記第１の照合手段、第２の照合手段及び第３の照合手段による照合結果が、所定の一致率以上であることを検出する手段とを具備し、
所定の一致率であることが検出された場合に、本人を確認することを特徴とする本人確認装置。
【請求項２】
前記認識された前記添付ファイルに含まれる前記顔の画像、前記証明書の画像に含まれる識別情報及び前記音声情報を互いに関連付けて格納するデータベースをさらに具備することを特徴とする請求項１記載の本人確認装置。
【請求項３】
前記識別情報は、名前及び住所に関する情報を含むことを特徴とする請求項１記載の本人確認装置。
【請求項４】
前記証明書は、運転免許証を含むことを特徴とする請求項１記載の本人確認装置。
【請求項５】
前記データベースは、さらに、前記格納された顔の画像と関連付けられた取引に必要とされる情報を示す取引情報を格納し、
携帯端末からのダウンロード要求に基づいて、前記データベースに格納された顔の画像及び取引情報を認証用のバーコードに変換する手段と、
前記変換されたバーコードを前記携帯端末に送信する手段と
をさらに具備することを特徴とする請求項２記載の本人確認装置。
【請求項６】
請求項５記載の本人確認装置から送信されたバーコードを表示する携帯端末と、
決済を行なう決済装置とを具備し、
前記決済装置は、
前記携帯端末において表示されたバーコードを読み取る手段と、
決済を行なう者を撮影するための手段と、
前記読み取られたバーコードから顔の画像及び取引情報を抽出する手段と、
前記撮影された決済を行なう者の顔の画像と、前記抽出された顔の画像とが一致することを検出する手段と、
一致することが検出された場合に、前記抽出された取引情報を使用して決済を行なう手段とを具備することを本人確認システム。
【請求項７】
前記データベースは、さらに、前記格納された音声情報と関連付けられた取引に必要とされる情報を示す取引情報を格納し、
携帯端末からのダウンロード要求に基づいて、前記データベースに格納された音声情報及び取引情報を認証用のバーコードに変換する手段と、
前記変換されたバーコードを前記携帯端末に送信する手段と
をさらに具備することを特徴とする請求項２記載の本人確認装置。
【請求項８】
請求項７記載の本人確認装置から送信されたバーコードを表示する携帯端末と、
決済を行なう決済装置とを具備し、
前記決済装置は、
前記携帯端末において表示されたバーコードを読み取る手段と、
決済を行なう者の音声情報を取得するための手段と、
前記読み取られたバーコードから音声情報及び取引情報を抽出する手段と、
前記取得された決済を行なう者の音声情報と、前記抽出された音声情報とが一致することを検出する手段と、
一致することが検出された場合に、前記抽出された取引情報を使用して決済を行なう手段とを具備することを本人確認システム。
【請求項９】
前記バーコードは、二次元バーコードであることを特徴とする請求項５乃至請求項８いずれか１項に記載の本人確認システム。
【請求項１０】
前記決済装置は、ＡＴＭ(Automatic Teller Machine)及びＰＯＳ(Point Of System)端末の少なくとも１つを含むことを特徴とする請求項５乃至請求項９いずれか１項に記載の本人確認システム。
【請求項１１】
本人確認される者によって入力された本人確認に必要な識別情報と、前記入力された識別情報に添付され、本人確認に必要な本人確認される者の顔及び識別情報を含む証明書、前記本人確認される者の顔を連続的に撮像した画像、及び前記本人確認される者の音声情報を含む動画ファイル形式の添付ファイルとを受信し、
前記添付ファイルに含まれる前記顔の画像、前記証明書の画像に含まれる識別情報及び前記音声情報を認識し、
前記入力された本人確認に必要な識別情報と、前記認識された証明書の画像に含まれる識別情報との照合処理を行ない、
前記認識された証明書の画像に含まれる顔の画像と、前記認識された撮像された本人確認される者の顔の画像との照合処理を行ない、
前記本人確認される者の音声情報を取得し、
前記取得された本人確認される者の音声情報と、前記認識された音声情報との照合処理を行ない、
前記第１の照合処理、第２の照合処理及び第３の照合処理による照合結果が、所定の一致率以上であることを検出し、
所定の一致率であることが検出された場合に、本人を確認することを特徴とする本人確認装置における本人確認方法。
【請求項１２】
前記認識された添付ファイルに含まれる前記顔の画像、前記証明書の画像に含まれる識別情報、前記音声情報及び取引情報を互いに関連付けてデータベースに格納し、
携帯端末からのダウンロード要求に基づいて、前記データベースに格納された顔の画像及び取引情報を認証用のバーコードに変換し、
前記変換されたバーコードを前記携帯端末に送信し、
前記携帯端末において送信されてきたバーコードを表示し、
決済装置が前記携帯端末において表示されたバーコードを読み取り、
決済を行なう者を撮影し、
前記読み取られたバーコードから顔の画像及び取引に必要とされる情報を示す取引情報を抽出し、
前記撮影された決済を行なう者の顔の画像と、前記抽出された顔の画像とが一致することを検出し、
一致することが検出された場合に、前記抽出された取引情報を使用して決済を行なうステップをさらに具備することを特徴とする請求項１１記載の本人確認方法。
【請求項１３】
前記認識された前記添付ファイルに含まれる前記顔の画像、前記証明書の画像に含まれる識別情報、前記音声情報及び取引に必要とされる情報を示す取引情報を互いに関連付けてデータベースに格納し、
携帯端末からのダウンロード要求に基づいて、前記データベースに格納された音声情報及び取引情報を認証用のバーコードに変換し、
前記変換されたバーコードを前記携帯端末に送信し、
前記携帯端末において送信されてきたバーコードを表示し、
決済装置が前記携帯端末において表示されたバーコードを読み取り、
決済を行なう者の音声情報を取得し、
前記読み取られたバーコードから音声情報及び取引情報を抽出し、
前記取得された決済を行なう者の音声情報と、前記抽出された音声情とが一致することを検出し、
一致することが検出された場合に、前記抽出された音声情報を使用して決済を行なうステップをさらに具備することを特徴とする請求項１１記載の本人確認方法。
【請求項１４】
金融機関のサイトにおいてログインする際に必要とされ、本人確認される者の顔の画像情報、及び前記本人確認される者の音声情報を前記金融機関のサーバからダウンロードする手段と、
ユーザの顔を示す画像情報及び音声を示す音声情報を含む動画ファイルを取得する手段と、
前記取得された動画ファイルの画像情報及び音声情報を認識する手段と、
前記ダウンロードされた画像情報と、前記認識された画像情報との照合処理を行なう第１の照合手段と、
前記ダウンロードされた音声情報と、前記認識された動画ファイルの音声情報との照合処理を行なう第２の照合手段と、
前記第１の照合手段及び第２の照合手段による照合結果が、所定の一致率以上であることを検出する手段と、
所定の一致率以上であることが検出された場合に、前記金融機関のサイトにログインする手段と
を具備することを特徴とする携帯型情報機器。
【請求項１５】
前記携帯型情報機器は、カメラ付携帯電話であることを特徴とする請求項１４記載の携帯型情報機器。
【請求項１６】
前記ダウンロード手段、前記取得手段、前記認識手段、前記第１の照合手段、前記第２の照合手段及び検出手段は本人認証処理プログラムによって実現されることを特徴とする請求項１４記載の携帯型情報機器。
【請求項１７】
前記本人認証処理プログラムは、前記金融機関のサーバからダウンロードされることを特徴とする請求項１６記載の携帯型情報機器。
【請求項１８】
前記ダウンロード手段は、金融機関のサイトにおいて必要とされる本人確認される者の取引情報を前記金融機関のサーバからダウンロードし、このダウンロードされた取引情報は、ログイン後の金融機関のサイトにおいて使用されることを特徴とする請求項１４記載の携帯型情報機器。
【請求項１９】
金融機関のサーバと、前記サーバとネットワークを介して接続された携帯型情報機器とを具備する本人確認システムにおいて、
前記携帯型情報機器は、
金融機関のサイトにおいてログインする際に必要とされ、本人確認される者の顔の画像情報及び前記本人確認される者の音声情報、及び金融機関機関のサイトにおいて使用される本人確認される者の取引情報を前記金融機関のサーバからダウンロードする手段と、
ユーザの顔を示す画像情報及び音声を示す音声情報を含む動画ファイルを取得する手段と、
前記取得された動画ファイルの画像情報及び音声情報を認識する手段と、
前記ダウンロードされた画像情報と、前記認識された画像情報との照合処理を行なう第１の照合手段と、
前記ダウンロードされた音声情報と、前記認識された音声情報との照合処理を行なう第２の照合手段と、
前記第１の照合手段及び第２の照合手段による照合結果が、所定の一致率以上であることを検出する手段と、
所定の一致率以上であることが検出された場合に、前記金融機関のサイトに前記取引情報を含むログイン要求する手段とを具備し、
前記金融機関のサーバは、
前記ログイン要求を受信した場合に、前記ログイン要求を出力した携帯型情報機器のログイン処理を行ない、前記受信した取引情報に基づくサイトを表示する手段を具備することを特徴とする本人確認システム。
【請求項２０】
金融機関のサイトにおいてログインする際に必要とされ、本人確認される者の顔の画像情報、及び前記本人確認される者の音声情報を前記金融機関のサーバからダウンロードし、
ユーザの顔を示す画像情報及び音声を示す音声情報を含む動画ファイルを取得し、
前記取得された動画ファイルの画像情報及び音声情報を認識し、
前記ダウンロードされた画像情報と、前記認識された画像情報との第１の照合処理を行ない、
前記ダウンロードされた音声情報と、前記認識された音声情報との第２の照合処理を行ない、
前記第１の照合処理及び第２の照合処理による照合結果が、所定の一致率以上であることを検出し、
所定の一致率以上であることが検出された場合に、前記金融機関のサイトにログインすることを特徴とする携帯型情報機器における本人確認方法。
【請求項２１】
携帯型情報機器に、金融機関のサイトにおいてログインする際に必要とされ、本人確認される者の顔の画像情報、及び前記本人確認される者の音声情報を前記金融機関のサーバからダウンロードさせる手段と、
前記携帯型情報機器に、ユーザの顔を示す画像情報及び音声を示す音声情報を含む動画ファイルを取得させる手段と、
前記携帯型情報機器に、取得された動画ファイルの画像情報及び音声情報を認識させる手段と、
前記携帯型情報機器に、前記ダウンロードされた画像情報と、前記認識された画像情報との第１の照合処理を行なわせる手段と、
前記携帯型情報機器に、前記ダウンロードされた音声情報と、前記認識された音声情報との第２の照合処理を行なわせる手段と、
前記第１の照合手段及び第２の照合手段による照合結果が、所定の一致率以上であることを検出させる手段と、
所定の一致率以上であることが検出された場合に、前記金融機関のサイトにログインさせる手段と
を具備することを特徴とする本人確認プログラム。
【請求項２２】
本人確認される者によって入力された本人確認に必要な識別情報と、前記入力された識別情報に添付され、本人確認に必要な本人確認される者の顔及び識別情報を含む証明書、前記本人確認される者の顔を連続的に撮像した画像、及び前記本人確認される者の音声情報を含む動画ファイル形式の添付ファイルとを受信する手段と、
前記認識された前記添付ファイルに含まれる前記顔の画像、前記証明書の画像に含まれる識別情報、前記音声情報及び取引に必要とされる情報を示す取引情報を互いに関連付けて格納するデータベースと、
携帯端末からのダウンロード要求に基づいて、前記データベースに格納された顔の画像及び取引情報を認証用のバーコードに変換する手段と、
前記変換されたバーコードを前記携帯端末に送信する手段と、
送信されたバーコードを表示する携帯端末と、
決済を行なう決済装置とを具備し、
前記決済装置は、
前記携帯端末において表示されたバーコードを読み取る手段と、
決済を行なう者を撮影するための手段と、
前記読み取られたバーコードから顔の画像及び取引情報を抽出する手段と、
前記撮影された決済を行なう者の顔の画像と、前記抽出された顔の画像とが一致することを検出する手段と、
一致することが検出された場合に、前記抽出された取引情報を使用して決済を行なう手段とを具備することを本人確認システム。
【請求項２３】
本人確認される者によって入力された本人確認に必要な識別情報と、前記入力された識別情報に添付され、本人確認に必要な本人確認される者の顔及び取引に必要とされる情報を示す識別情報を含む証明書、前記本人確認される者の顔を連続的に撮像した画像、及び前記本人確認される者の音声情報を含む動画ファイル形式の添付ファイルとを受信する手段と、
前記認識された前記添付ファイルに含まれる前記顔の画像、前記証明書の画像に含まれる識別情報、前記音声情報及び取引情報を互いに関連付けて格納するデータベースと、
携帯端末からのダウンロード要求に基づいて、前記データベースに格納された音声情報及び取引情報を認証用のバーコードに変換する手段と、
前記変換されたバーコードを前記携帯端末に送信する手段と、
送信されたバーコードを表示する携帯端末と、
決済を行なう決済装置とを具備し、
前記決済装置は、
前記携帯端末において表示されたバーコードを読み取る手段と、
決済を行なう者の音声情報を取得する手段と、
前記読み取られたバーコードから音声情報及び取引情報を抽出する手段と、
前記取得された音声情報と、前記抽出された音声情報とが一致することを検出する手段と、
一致することが検出された場合に、前記抽出された取引情報を使用して決済を行なう手段とを具備することを本人確認システム。
【発明の詳細な説明】
【技術分野】
【０００１】
本発明は、本人確認装置に関し、例えば、金融機関に口座開設などの金融取引を申し込む場合に行なわれる本人確認を容易に行なうことのできる本人確認装置に関する。
【背景技術】
【０００２】
金融機関に口座開設などの金融取引を申し込む場合、インターネット経由で申し込みを行ない、その後、仮審査などの手続を経て、申し込みの許可がでた時点で、口座開設申し込み書などを金融機関から申込人に送付する。
【０００３】
申込人は、金融機関から送付されてきた口座開設申込書などに所定の事項を記載するとともに、本人確認資料、例えば、免許証の写し、健康保険証の写しなどを金融機関に送付する。
【０００４】
金融機関は、送付された口座開設申込書などが適切に記載され、かつ本人確認資料により本人確認を行なうことができるかを確認し、確認ができた場合に、口座開設を認める（非特許文献１参照。）。
【非特許文献１】ジャパンネット銀行、口座非保有者の申し込み手順(http://www.japannetbank.co.jp/loan/freeloan_proc2.html、平成１５年９月３日検索）。
【発明の開示】
【発明が解決しようとする課題】
【０００５】
上述のように、金融機関に口座開設などの金融取引を申し込む場合、インターネット経由で申し込みを行なっても、結局、郵送やファクシミリなどによって、別途申込書と本人確認資料を送付しなければならないため、申込人の手間がかかるという問題がある。
【０００６】
また、金融機関からみれば、非対面の申し込みの場合、本人確認資料の写しのみが送付されてくるために、いわゆる成りすましによるリスクが発生するという問題があった。
【０００７】
本発明は、上記実情に鑑みてなされたものであり、本人確認の申し込みの手間を低減することができ、かつ成りすましによるリスクを低減することができる本人確認装置を提供することを目的とする。
【課題を解決するための手段】
【０００８】
上記目的を達成するために、本発明の第１の観点によれば、本人確認される者によって入力された本人確認に必要な識別情報と、前記入力された識別情報に添付され、本人確認に必要な本人確認される者の顔及び識別情報を含む証明書、前記本人確認される者の顔を連続的に撮像した画像、及び前記本人確認される者の音声情報を含む動画ファイル形式の添付ファイルとを受信する手段と、前記添付ファイルに含まれる前記顔の画像、前記証明書の画像に含まれる識別情報及び前記音声情報を認識する手段と、前記入力された本人確認に必要な識別情報と、前記認識された証明書の画像に含まれる識別情報との照合処理を行なう第１の照合手段と、前記認識された証明書の画像に含まれる顔の画像と、前記認識された撮像された本人確認される者の顔の画像との照合処理を行なう第２の照合手段と、前記本人確認される者の音声情報を取得する手段と、前記取得された本人確認される者の音声情報と、前記認識された音声情報との照合処理を行なう第３の照合手段と、前記第１の照合手段、第２の照合手段及び第３の照合手段による照合結果が、所定の一致率以上であることを検出する手段とを具備し、所定の一致率であることが検出された場合に、本人を確認することを特徴とする本人確認装置、である。
【０００９】
このような発明によれば、添付ファイルに含まれる顔の画像、証明書の画像に含まれる識別情報及び音声情報を認識する。そして、第１の照合手段により、入力された本人確認に必要な識別情報と、認識された証明書の画像に含まれる識別情報との照合処理を行ない、第２の照合手段により、認識された証明書の画像に含まれる顔の画像と、認識された撮像された本人確認される者の顔の画像との照合処理を行ない、第３の照合手段により、取得された本人確認される者の音声情報と、認識された音声情報との照合処理を行なう。
【００１０】
そして、第１の照合手段、第２の照合手段及び第３の照合手段による照合結果が、所定の一致率以上であることを検出し、所定の一致率であることが検出された場合に、本人を確認する。
【００１１】
また、本発明の第２の観点によれば、第１の観点に加えて、前記認識された前記添付ファイルに含まれる前記顔の画像、前記証明書の画像に含まれる識別情報及び前記音声情報を互いに関連付けて格納するデータベースをさらに具備することを特徴とする本人確認装置、である。
【００１２】
さらに、本発明の第３の観点によれば、本人確認される者によって入力された本人確認に必要な識別情報と、前記入力された識別情報に添付され、本人確認に必要な本人確認される者の顔及び識別情報を含む証明書、前記本人確認される者の顔を連続的に撮像した画像、及び前記本人確認される者の音声情報を含む動画ファイル形式の添付ファイルとを受信し、前記添付ファイルに含まれる前記顔の画像、前記証明書の画像に含まれる識別情報及び前記音声情報を認識し、前記入力された本人確認に必要な識別情報と、前記認識された証明書の画像に含まれる識別情報との照合処理を行ない、前記認識された証明書の画像に含まれる顔の画像と、前記認識された撮像された本人確認される者の顔の画像との照合処理を行ない、前記本人確認される者の音声情報を取得し、前記取得された本人確認される者の音声情報と、前記認識された音声情報との照合処理を行ない、前記第１の照合処理、第２の照合処理及び第３の照合処理による照合結果が、所定の一致率以上であることを検出し、所定の一致率であることが検出された場合に、本人を確認することを特徴とする本人確認装置における本人確認方法、である。
【００１３】
さらに、本発明の第４の観点によれば、金融機関のサイトにおいてログインする際に必要とされ、本人確認される者の顔の画像情報、及び前記本人確認される者の音声情報を前記金融機関のサーバからダウンロードする手段と、ユーザの顔を示す画像情報及び音声を示す音声情報を含む動画ファイルを取得する手段と、前記取得された動画ファイルの画像情報及び音声情報を認識する手段と、前記ダウンロードされた画像情報と、前記認識された画像情報との照合処理を行なう第１の照合手段と、前記ダウンロードされた音声情報と、前記認識された動画ファイルの音声情報との照合処理を行なう第２の照合手段と、前記第１の照合手段及び第２の照合手段による照合結果が、所定の一致率以上であることを検出する手段と、所定の一致率以上であることが検出された場合に、前記金融機関のサイトにログインする手段とを具備することを特徴とする携帯型情報機器、である。
【００１４】
さらに、本発明の第５の観点によれば、金融機関のサーバと、前記サーバとネットワークを介して接続された携帯型情報機器とを具備する本人確認システムにおいて、前記携帯型情報機器は、金融機関のサイトにおいてログインする際に必要とされ、本人確認される者の顔の画像情報及び前記本人確認される者の音声情報、及び前記金融機関のサイトにおいて使用される本人確認される者の取引情報を前記金融機関のサーバからダウンロードする手段と、ユーザの顔を示す画像情報及び音声を示す音声情報を含む動画ファイルを取得する手段と、前記取得された動画ファイルの画像情報及び音声情報を認識する手段と、前記ダウンロードされた画像情報と、前記認識された画像情報との照合処理を行なう第１の照合手段と、前記ダウンロードされた音声情報と、前記認識された音声情報との照合処理を行なう第２の照合手段と、前記第１の照合手段及び第２の照合手段による照合結果が、所定の一致率以上であることを検出する手段と、所定の一致率以上であることが検出された場合に、前記金融機関のサイトに前記取引情報を含むログイン要求する手段とを具備し、前記金融機関のサーバは、前記ログイン要求を受信した場合に、前記ログイン要求を出力した携帯型情報機器のログイン処理を行ない、前記受信した取引情報に基づくサイトを表示する手段を具備することを特徴とする本人確認システム、である。
【００１５】
さらに、本発明の第６の観点によれば、金融機関のサイトにおいてログインする際に必要とされ、本人確認される者の顔の画像情報、及び前記本人確認される者の音声情報を前記金融機関のサーバからダウンロードし、ユーザの顔を示す画像情報及び音声を示す音声情報を含む動画ファイルを取得し、前記取得された動画ファイルの画像情報及び音声情報を認識し、前記ダウンロードされた画像情報と、前記認識された画像情報との第１の照合処理を行ない、前記ダウンロードされた音声情報と、前記認識された音声情報との第２の照合処理を行ない、前記第１の照合処理及び第２の照合処理による照合結果が、所定の一致率以上であることを検出し、所定の一致率以上であることが検出された場合に、前記金融機関のサイトにログインすることを特徴とする携帯型情報機器における本人確認方法、である。
【００１６】
さらに、本発明の第７の観点によれば、本人確認される者によって入力された本人確認に必要な識別情報と、前記入力された識別情報に添付され、本人確認に必要な本人確認される者の顔及び識別情報を含む証明書、前記本人確認される者の顔を連続的に撮像した画像、及び前記本人確認される者の音声情報を含む動画ファイル形式の添付ファイルとを受信する手段と、前記認識された前記添付ファイルに含まれる前記顔の画像、前記証明書の画像に含まれる識別情報、前記音声情報及び取引に必要とされる情報を示す取引情報を互いに関連付けて格納するデータベースと、携帯端末からのダウンロード要求に基づいて、前記データベースに格納された顔の画像及び取引情報を認証用のバーコードに変換する手段と、前記変換されたバーコードを前記携帯端末に送信する手段と、送信されたバーコードを表示する携帯端末と、
決済を行なう決済装置とを具備し、前記決済装置は、前記携帯端末において表示されたバーコードを読み取る手段と、決済を行なう者を撮影するための手段と、前記読み取られたバーコードから顔の画像及び取引情報を抽出する手段と、前記撮影された決済を行なう者の顔の画像と、前記抽出された顔の画像とが一致することを検出する手段と、一致することが検出された場合に、前記抽出された取引情報を使用して決済を行なう手段とを具備することを本人確認システム、である。
【００１７】
さらに、本発明の第８の観点によれば、本人確認される者によって入力された本人確認に必要な識別情報と、前記入力された識別情報に添付され、本人確認に必要な本人確認される者の顔及び識別情報を含む証明書、前記本人確認される者の顔を連続的に撮像した画像、及び前記本人確認される者の音声情報を含む動画ファイル形式の添付ファイルとを受信する手段と、前記認識された前記添付ファイルに含まれる前記顔の画像、前記証明書の画像に含まれる識別情報、前記音声情報及び取引に必要とされる情報を示す取引情報を互いに関連付けて格納するデータベースと、携帯端末からのダウンロード要求に基づいて、前記データベースに格納された音声情報及び取引情報を認証用のバーコードに変換する手段と、前記変換されたバーコードを前記携帯端末に送信する手段と、送信されたバーコードを表示する携帯端末と、決済を行なう決済装置とを具備し、前記決済装置は、前記携帯端末において表示されたバーコードを読み取る手段と、決済を行なう者の音声情報を取得する手段と、前記読み取られたバーコードから音声情報及び取引情報を抽出する手段と、前記取得された音声情報と、前記抽出された音声情報とが一致することを検出する手段と、一致することが検出された場合に、前記抽出された取引情報を使用して決済を行なう手段とを具備することを本人確認システム、である。
【発明の効果】
【００１８】
本発明によれば、本人確認の申し込みの手間を低減することができ、かつ成りすましによるリスクを低減することができる本人確認装置を提供することができる。
【発明を実施するための最良の形態】
【００１９】
以下、図面を参照して、本発明の実施の形態に係る本人確認装置について説明する。
【００２０】
図１は、本発明の実施の形態に係る本人確認システムを示す図である。
【００２１】
同図に示すように、本人確認装置の機能を有するホストコンピュータ１はインターネットなどのネットワーク２に接続されるとともに、ＬＡＮ(Local Area Network）を介して、ＰＢＸ(Private Branch eXchange)３に接続されている。ＰＢＸ３は公衆回線網４に接続されるとともに、オペレータにより使用される電話７−１、７−２に接続されている。
【００２２】
ネットワーク２は、図示せぬネットワーク間接続装置を介して、公衆回線網（ＰＳＴＮ）４に接続されている。この公衆回線網４には、無線ＬＡＮのアクセスポイント（ＡＰ）６が設けられており、このアクセスポイント６を介して、カメラ付携帯電話５は、公衆回線網４に接続される。
【００２３】
図２は、本人確認装置の機能を有するホストコンピュータ１の構成を示す図である。ホストコンピュータ１は、金融機関の本人確認を行なうホストコンピュータ１であり、本実施の形態においては、口座開設の申し込みなどのサイトを携帯電話に提供するウェブサーバとしての機能をも有するものとする。
【００２４】
同図に示すように、ホストコンピュータ１は、ＣＰＵ１２、表示部１３、通信インターフェイス１４、メモリ１５及びＨＤＤ１６を具備しており、これらはバス１１に接続されている。
【００２５】
ＣＰＵ１２は、ホストコンピュータ１全体の制御を司るものであり、本発明の実施の形態に係る本人確認処理を、ＨＤＤ１６に格納された本人確認プログラム１７にしたがって実行する。
【００２６】
表示部１３は、ディスプレイなどの表示装置である。
【００２７】
通信インターフェイス１４は、外部ネットワークとの通信のためのインターフェイスであり、公衆回線網４及びネットワーク２を介して、カメラ付携帯電話５と通信を行なう。
【００２８】
メモリ１５は、本人確認プログラム１７が展開され、また本人確認プログラム１７のワークエリアなどとして使用される。
【００２９】
ＨＤＤ１６には、本発明の実施の形態に係る本人確認処理を実現する本人確認プログラム１７及びこの本人確認プログラム１７によって使用されるマスタデータベース１８などを格納する。
【００３０】
図３は、マスタデータベース１８のデータ構造を示す図である。
【００３１】
同図に示すように、マスタデータベース１８には、ＩＤ２１、識別情報２２、証明書の画像情報２３、顔の画像情報２４及び音声情報２５が格納され、これらはＩＤ毎に関連付けて記憶される。
【００３２】
識別情報２２は、本人確認される者の名前、住所、生年月日などに関する情報である。
【００３３】
証明書の画像情報２３は、カメラ付携帯電話５によって撮像された免許証、パスポートなどの顔写真付の証明書の画像情報である。
【００３４】
顔の画像情報２４は、カメラ付携帯電話５によって撮像された本人確認される者の顔の画像情報を格納する。
【００３５】
音声情報２５は、カメラ付携帯電話５によって録音された音声情報を格納する。
【００３６】
次に、本発明の実施の形態に係る本人確認処理の動作について説明する。
【００３７】
まず、最初に、カメラ付携帯電話５から本人確認される者の識別情報及び証明書、顔の画像及び音声情報を含む動画形式の添付ファイルが送られてくるまでの動作について説明する。
【００３８】
本人確認される者は、カメラ付携帯電話５によって、運転免許証やパスポートといった写真付の証明書と、本人の顔とを連続的に撮影する。
【００３９】
具体的には、
証明書撮影時には、
１．  本人確認される者の識別情報（名前、住所、生年月日などに関する情報）が記載されている文字部分を撮影し、一定時間静止、その後、証明書の顔写真部分を撮影し一定時間静止する。
【００４０】
２．  その後、連続して本人確認される者の正面の顔を撮影し、一定時間静止する。また、この時、本人確認される者の名前などの音声も録音し、１つの動画形式のファイルとして保存する。
【００４１】
本人確認される者は、カメラ付携帯電話５によって、ホストコンピュータ１が提供する金融機関のウェブサイトにアクセスして、口座開設などの金融取引の申し込みを行なう。この申し込みの際には、本人確認される者の識別情報（名前、住所、生年月日などに関する情報）を入力して、この入力した識別情報に、保存された１つの動画形式のファイルを添付ファイルとして、アクセスポイント６、公衆回線網４及びインターネットなどのネットワーク２を介して、ホストコンピュータ１に送信する。
【００４２】
その後、ホストコンピュータ１において、カメラ付携帯電話５から送信された識別情報及び動画形式の添付ファイルに基づいて、本人確認処理が行なわれる。
【００４３】
図４は、ホストコンピュータ１における本人確認処理を説明するためのフローチャートである。以下、図４のフローチャートを参照して、ホストコンピュータ１における本人確認処理を説明する。
【００４４】
同図に示すように、ホストコンピュータ１においては、カメラ付携帯電話５から送信された識別情報及びその動画形式の添付ファイルを受信する（Ｓ１）。次に、動画形式の添付ファイルの証明書の画像から顔の画像及び識別情報を認識する（Ｓ２）。その後、添付ファイルに含まれる撮像された顔の画像及び音声情報を認識する（Ｓ３）。
【００４５】
そして、受信した識別情報及び認識された識別情報、顔の画像、撮像された顔の画像及び音声情報をマスタデータベース１８に格納する（Ｓ４）。次に、本人確認される者によって入力され、受信した識別情報と、認識された識別情報との照合処理が行なわれる（Ｓ５）。
【００４６】
次に、認識された顔の画像と、撮像された顔の画像との照合処理が行なわれ（Ｓ６）、本人確認される者から音声情報を取得する（Ｓ７）。
【００４７】
この音声情報の取得は、例えば、本人確認システムのオペレータが申し込み意思の確認のために、録音された音声情報と同じフレーズの音声情報を話してもらい、この応答された音声情報をホストコンピュータ１により自動的に取得することなどにより行なわれる。
【００４８】
取得された音声情報と、動画形式の添付ファイルから認識された音声情報との照合処理が行なわれる（Ｓ８）。
【００４９】
上記Ｓ５、Ｓ６，Ｓ８における照合処理においては、それぞれ照合結果である一致率が算出される。Ｓ９においては、Ｓ５、Ｓ６，Ｓ８において算出された照合処理結果である一致率が所定の一致率以上であるか否かの判断が行なわれる（Ｓ９）。
【００５０】
Ｓ９において、所定の一致率以上であると判断された場合には、本人確認が認められ（Ｓ１０）、一致率以上ではないと判断された場合には、本人確認が認められない（Ｓ１１）。
【００５１】
したがって、本発明の実施の形態に係る本人確認装置によれば、本人確認される者が運転免許証などの証明書を郵送することなく、本人確認を行なうことができるので、本人確認の申し込みの手間を低減することができる。
【００５２】
また、識別情報及び顔の画像との照合処理に加えて、音声情報の照合処理を行なうことにより本人確認を行なうので、より精度の高い本人確認を行なうことができ、その結果、第三者の成りすましリスクを低減することができる。
【００５３】
さらに、本人確認される者の証明書、顔を連続して撮像し、かつ音声を記録したファイルを使用して本人確認を行なうので、静止画像ファイルと音声ファイルとを別々に送信して本人確認を行なう場合に比べて、より精度の高い本人確認を行なうことができる。すなわち、本実施の形態によれば、動画画像をインターネット経由で送信することができるという携帯電話のメリットを最大限に生かすことにより、シームレスに、且つ、いつでもどこでも本人確認を必要とする金融取引を申し込むことができる。
【００５４】
＜他の実施の形態１＞
次に、本発明の他の実施の形態に係る本人確認装置の動作について説明する。本他の実施の形態においては、上述の実施の実施の形態において、本人確認が行なわれた後、カメラ付携帯電話５のユーザがホストコンピュータ１が提供するウェブサイトにログインする場合の本人確認の方法について説明する。
【００５５】
図５は、本発明の他の実施の形態に係るホストコンピュータ１の構成を示す図である。なお、図２と同一部分には同一符号を付して、その説明を省略し、ここでは異なる部分についてのみ述べる。
【００５６】
同図に示すように、図２に示したホストコンピュータの構成と、本他の実施の形態に係るホストコンピュータの構成と異なる点は、ＨＤＤ１６のマスタデータベース３１及びダウンロード用本人確認プログラム３２である。
【００５７】
図６は、マスタデータベース３１の構成を示す図である。なお、図３と同一部分には同一符号を付してその説明を省略し、ここでは異なる部分についてのみ述べる。同図に示すように、図３に示したマスタデータベースと異なる点は、ＩＤ２１、識別情報２２、証明書の画像情報２３、顔の画像情報２４、及び音声情報２５に加えて、取引情報４１及びパスワード４２を格納している。
【００５８】
取引情報４１は、ＩＤ２１などの情報と関連付けて記憶されている。取引情報４１は、金融機関のサイトにおいて必要とされる本人確認される者の情報であり、例えば、キャッシュカード情報、ローンカード情報などである。このキャッシュカード情報は、例えば、口座番号、取引支店、口座名義人名、残高情報などの情報である。言い換えれば、取引情報４１は、決済取引を行なうために必要とされる情報である。
【００５９】
パスワード４２は、ＩＤ２１などの情報と関連付けて記憶されている。パスワード４２は金融機関から各ユーザに発行されるものであり、このパスワード４２を使用することにより金融機関によって提供されるダウンロード用本人確認プログラムなどを提供するダウンロードサイトにログインすることができる。
【００６０】
ダウンロード用本人確認プログラム３２は、カメラ付携帯電話５にダウンロードされ、カメラ付携帯電話５における本人確認処理を行なうためのプログラムであり、その動作の詳細については後述する。
【００６１】
図７は、カメラ付携帯電話の構成を示す図である。
【００６２】
同図に示すように、バス５１にはＣＰＵ５２、表示部５３、無線通信インターフェイス５４、入力部５５、マイク５６、撮像部５７、メモリ５８、及びＩＣインターフェイス５９が接続されており、ＩＣインターフェイス５９を介してＩＣカード６０が着脱自在に接続される。
【００６３】
ＩＣカード６０には、サーバからダウンロードされたダウンロード用本人確認プログラム６１及び本人確認情報６２が格納される。なお、本実施の形態においては、ダウンロード用本人確認プログラム６１及び本人確認情報６２はＩＣカード６０に格納される場合について説明するが、これら情報はカメラ付携帯電話５の不揮発性記憶装置などに記録されてもよく、その格納場所は問わない。
【００６４】
本人確認情報６２には、サーバからダウンロードされた顔の画像情報２４、音声情報２５及び取引情報４１が含まれる。
【００６５】
ＣＰＵ５２は、カメラ付携帯電話５全体の制御を司るものであり、通常のカメラ付携帯電話としての動作の他、サーバからダウンロードされたダウンロード用本人確認プログラム６１にしたがった本実施の形態に係る動作を実行し、その詳細は後述する。
【００６６】
表示部５３は、カメラ付携帯電話５の表示画面である。無線通信Ｉ／Ｆ５４は、無線通信回線を介して金融機関が提供するウェブサイトにアクセスするためのものである。入力部５５は、カメラ付携帯電話５の操作ボタンなどの入力インターフェイスである。
【００６７】
マイク５６は、ユーザからの音声を入力するものである。撮像部５７は、ＣＣＤ、ＣＭＯＳセンサなどであり画像を取り込むものである。メモリ５８は、ＣＰＵ５２によって実行されるプログラムのワークエリアなどとして使用される。
【００６８】
次に、本発明の他の実施の形態に係る本人確認装置の動作について、図８及び図９を参照して説明する。
【００６９】
カメラ付携帯電話５のユーザがホストコンピュータ１の提供するウェブサイトにログインする（Ｓ３１）。ログインの方法は種々考えられるが、ここでは、金融機関から発行されたパスワードをユーザが入力し、マスタデータベース３１に格納されたパスワードと一致した場合にログインが行なわれる。
【００７０】
ログインが行なわれ、カメラ付携帯電話５のユーザからダウンロード要求が行なわれると、ホストコンピュータ１からカメラ付携帯電話５に対して、ダウンロード用本人確認プログラム３２及びログインしたユーザのＩＤ２１（パスワードに対応）に対応する顔の画像情報２４、音声情報２５及び取引情報４１がダウンロードされる（Ｓ３２）。以下のカメラ付携帯電話５における本人確認処理は、ダウンロードされた本人確認プログラム３２が実行されることにより行なわれる。
【００７１】
本人確認プログラム３２がカメラ付携帯電話５にダウンロードされ、実行されている場合における金融機関の提供するウェブサイトへのログインの方法について説明する。
【００７２】
まず、カメラ付携帯電話５の撮像部５７及びマイク５６を使用して、ユーザの顔を示す画像情報及び音声を示す音声情報を含む動画ファイルがカメラ付携帯電話５に入力される（Ｓ４１）。
【００７３】
次に、Ｓ４１において取得した動画ファイルに含まれるユーザの顔を示す画像情報及び音声を示す音声情報の認識が行なわれ（Ｓ４２）、ダウンロードされたユーザの顔を示す画像情報とＳ４２において認識された画像情報との照合処理が行なわれ（Ｓ４３）、ダウンロードされたユーザの音声を示す音声情報とＳ４２において認識された音声情報との照合処理が行なわれる（Ｓ４４）。
【００７４】
そして、Ｓ４３における画像情報の照合処理及びＳ４４における音声情報の照合処理の照合結果が所定の一致率以上であるか否かの判断が行なわれ（Ｓ４５）、所定の一致率以下であると判断された場合にはログインが失敗したとされる。
【００７５】
一方、Ｓ４５において、所定の一致率以上であると判断された場合には、カメラ付携帯電話５からホストコンピュータ１に対してダウンロードされた取引情報４１を含むログイン要求が行なわれる（Ｓ４６）。ホストコンピュータ１は、ログイン要求を受信するとログイン処理を行ない（Ｓ４７）、ログイン要求に含まれる取引情報に基づいたサイトを表示する（Ｓ４８）。このサイトは、例えば、ログインしたユーザの口座情報を示す画面や、ローンの残高を示す画面などであり、取引情報を使用した画面である。
【００７６】
＜他の実施の形態２＞
次に、本発明の他の実施の形態に係る本人確認システムの動作について説明する。本他の実施の形態においては、上述の実施の実施の形態において、本人確認が行なわれた後、カメラ付携帯電話５を使用して、ＡＴＭなどから決済を行なう場合における本人確認を行なう場合について説明する。
【００７７】
図１０は、本発明の他の実施の形態に係る本人確認システムの全体構成を示す図である。図１に示した本人確認システムと異なる点は、ＬＡＮ１０１にホストコンピュータ１、ＡＴＭ１０２及び決済機関コンピュータ１０３が接続されていることにある。
【００７８】
ＡＴＭ１０２は、通常のＡＴＭとしての機能を有する他、本発明の実施の形態に係る処理、特に、図１３及び図１４に示した処理を実現する機能を有する。
【００７９】
決済機関コンピュータ１０３は、決済機関の決済処理を行なうためのコンピュータであって、例えば、クレジットカード会社の決済コンピュータである。
【００８０】
図１１は、ＡＴＭの構成を示す図である。
【００８１】
同図に示すようにＡＴＭ１０２は、バス１１１に、バーコード読み取り部１１２、通信部１１３、表示部１１４、ＣＰＵ１１５、マイク１１６、カメラ１１７、入力部１１８及びメモリ１１９が接続されている。
【００８２】
バーコード読み取り部１１２は、カメラ付き携帯電話５に表示されたバーコードを読み取る。
【００８３】
通信部１１３は、ＬＡＮ１０１を介してホストコンピュータ１及び決済機関コンピュータ１０３などと通信を行なう。
【００８４】
表示部１１４は、ＡＴＭ処理に必要とされる情報をユーザに提示するためのものであり、例えば、液晶ディスプレイである。
【００８５】
ＣＰＵ１１５は、ＡＴＭ１０２の処理全体の制御を司るものであり、メモリ１１９に格納されたＡＴＭ処理プログラムと協働して図１３及び図１４のフロチャートに示した処理を実現する。
【００８６】
マイク１１６は、決済を行なう者の音声情報を取得する。
【００８７】
カメラ１１７は、決済を行なう者の顔の画像情報を取得する。
【００８８】
入力部１１８は、決済処理を行なうために必要とされる情報を入力するものであって、例えば、キーボード、タッチパネルである。
【００８９】
メモリ１１９は、ＡＴＭ１０２における本発明の実施の形態におけるＡＴＭ処理全体を実現するためのＡＴＭ処理プログラム１２０を格納するとともに、プログラムを実行する際に必要とされるワークエリアなどとして使用される。
【００９０】
本実施の形態におけるホストコンピュータ１の構成は、図５に示したものと同様であり、図１２乃至図１４のフロチャートに示した処理は、本人確認プログラム１７によって実現されるものとする。
【００９１】
次に、図１２乃至図１４のフロチャートを参照して、本発明の実施の形態に係る本人確認システムの動作について説明する。
【００９２】
カメラ付携帯電話５のユーザがホストコンピュータ１の提供するウェブサイトにログインする（Ｓ５１）。ログインの方法は種々考えられるが、ここでは、金融機関から発行されたパスワードをユーザが入力し、マスタデータベース３１に格納されたパスワードと一致した場合にログインが行なわれる。
【００９３】
ログインが行なわれ、カメラ付携帯電話５のユーザからバーコードのダウンロード要求が行なわれると、当該バーコードのダウンロード要求をホストコンピュータ１が受信する（Ｓ５２）。
【００９４】
次に、ホストコンピュータ１は、ログインしたユーザのＩＤ（パスワードに対応）に対応する顔の画像情報２４及び取引情報４１を取得し、二次元バーコードに変換する（Ｓ５３）。そして、二次元バーコードをホストコンピュータ１からカメラ付携帯電話５に送信する（Ｓ５４）。
【００９５】
次に、送信されたバーコードを使用して、決済を行なう場合の動作について、図１３及び図１４のフロチャートを参照して説明する。
【００９６】
ユーザは、カメラ付携帯電話５に送信された二次元バーコードを表示させる（S６１）。ＡＴＭ１０２は、カメラ付携帯電話５に表示された二次元バーコードをバーコード読み取り部１１２によって読み取る（Ｓ６２）とともに、ＡＴＭ１０２に備え付けられているカメラ１１７によって決済者であるユーザの顔を撮影する（Ｓ６３）。
【００９７】
次に、Ｓ６２において読み取られた二次元バーコードから顔の画像情報及び取引情報が抽出され（Ｓ６４）、撮影された顔の画像と、抽出された顔の画像情報とが一致するか否かの判断が行なわれる（Ｓ６５）。
【００９８】
Ｓ６５において一致していないと判断された場合には、取引が不成立であるとされる。一方、Ｓ６５において一致していると判断された場合には、Ｓ６４において抽出された取引情報を使用して、決済機関コンピュータ１０３と通信を行ない、決済処理が行なわれる（Ｓ６６）。
【００９９】
なお、上述の説明においては、顔の画像情報を基に認証を行なう場合について説明したが音声情報を基に行なってもよいし、顔の画像情報及び音声情報双方を基に行なってもよい。
【０１００】
音声情報を基に行なう場合には、Ｓ５３における処理が音声情報及び取引情報をバーコードに変換する処理となり、Ｓ６３における処理が決済者の声をＡＴＭ１０２のマイク１１６により取得する処理となり、Ｓ６４における処理がＳ６２において読み取られた二次元バーコードから音声情報及び取引情報を抽出する処理となり、Ｓ６５における処理が取得された音声情報と、抽出された音声情報とが一致するか否かの判断を行なう処理となる。
【０１０１】
また、顔の画像情報及び音声情報双方を基に認証処理を行なう場合には、Ｓ５３における処理が顔の画像情報、音声情報及び取引情報をバーコードに変換する処理となり、Ｓ６３における処理がＡＴＭ１０２に備え付けられているカメラ１１７によって決済者であるユーザの顔を撮影する処理及び決済者の声をＡＴＭ１０２のマイク１１６により取得する処理となり、Ｓ６４における処理がＳ６２において読み取られた二次元バーコードから顔の画像情報、音声情報及び取引情報を抽出する処理となり、Ｓ６５における処理が撮影された顔の画像と、抽出された顔の画像情報とが一致するか否かの処理及び取得された音声情報と、抽出された音声情報とが一致するか否かの判断を行なう処理となる。
【０１０２】
また、本実施の形態においては、決済処理を行なう端末をＡＴＭ１０２を例に説明したが、ＰＯＳ端末などの決済用端末であってもよい。
【０１０３】
なお、本実施の形態においては、カメラ付携帯電話について説明したが、これに限られるものではなく、例えば、カメラ付のパーソナルコンピュータ、ＰＤＡ(Personal Digital Assistant)などであってもよい。
【０１０４】
したがって、本発明の実施の形態によれば、金融機関などのサイトにログインする際に、パスワードなどを入力することなく、撮像装置により自己の顔を撮像し、かつ自己の音声を入力するだけでサイトにログインする際に必要とされる本人認証をおこなうことができる。
【０１０５】
また、利用者は携帯端末に取引情報をダウンロードすることにより、別途キャッシュカード等を保有することなく金融取引などが可能となる。また、この際、顔認証等を利用することによって、パスワードの入力が不要となり、入力の面倒さ、入力を第三者に見られるリスク（盗難などによるなりすましリスク）を回避することができる。
【０１０６】
本発明は、金融取引に限らずに、本人確認を行なう装置について広く適用することができることは言うまでもない。
【０１０７】
本発明は上記実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせてもよい。
【図面の簡単な説明】
【０１０８】
【図１】本発明の実施の形態に係る本人確認システムを示す図である。
【図２】本人確認装置の機能を有するホストコンピュータの構成を示す図である。
【図３】マスタデータベースのデータ構造を示す図である。
【図４】ホストコンピュータにおける本人確認処理を説明するためのフローチャートである。
【図５】本発明の他の実施の形態に係るホストコンピュータ１の構成を示す図である。
【図６】マスタデータベース３１の構成を示す図である。
【図７】カメラ付携帯電話の構成を示す図である。
【図８】カメラ付携帯電話における本人確認の動作を説明するためのフローチャートである。
【図９】カメラ付携帯電話における本人確認の動作を説明するためのフローチャートである。
【図１０】本発明の他の実施の形態に係る本人確認システムの全体構成を示す図である。
【図１１】ＡＴＭの構成を示す図である。
【図１２】本発明の実施の形態に係る本人確認システムの動作について説明するためのフロチャートである。
【図１３】本発明の実施の形態に係る本人確認システムの動作について説明するためのフロチャートである。
【図１４】本発明の実施の形態に係る本人確認システムの動作について説明するためのフロチャートである。
【符号の説明】
【０１０９】
１…ホストコンピュータ、２…ネットワーク、３…ＰＢＸ、４…公衆回線網（ＰＳＴＮ）、５…カメラ付携帯電話、６…アクセスポイント、７−１，７−２…電話、１１…バス、１２…ＣＰＵ、１３…表示部、１４…通信インターフェイス、１５…メモリ、１６…ＨＤＤ、１７…本人確認プログラム、１８、３１…マスタデータベース、２４…顔の画像情報、２５…音声情報、３２…ダウンロード用本人確認プログラム、４１…取引情報、４２…パスワード、６０…ＩＣカード、６１…ダウンロード用本人確認プログラム、６２…本人確認情報、１０１…ＬＡＮ、１０２…ＡＴＭ、１０３…決済機関コンピュータ、１１１…バス、１１２…バーコード読み取り部、１１３…通信部、１１４…表示部、１１５…ＣＰＵ、１１６…マイク、１１７…カメラ、１１８…入力部、１１９…メモリ、１２０…ＡＴＭ処理プログラム。
【図１】
2005293544.tif 000003
【図２】
2005293544.tif 000004
【図３】
2005293544.tif 000005
【図４】
2005293544.tif 000006
【図５】
2005293544.tif 000007
【図６】
2005293544.tif 000008
【図７】
2005293544.tif 000009
【図８】
2005293544.tif 000010
【図９】
2005293544.tif 000011
【図１０】
2005293544.tif 000012
【図１１】
2005293544.tif 000013
【図１２】
2005293544.tif 000014
【図１３】
2005293544.tif 000015
【図１４】
2005293544.tif 000016